(57)【特許請求の範囲】
【請求項１】
タイルカッターであって、縦長の底板（１）が設けられており、この底板が、長手方向の破断ウエブと、これに対して横方向に延びるタイル当接背部（１６）とを備えており、水平な案内（４）上で破断ウエブ（１４）の上方を移動可能なスライダ（７）が設けられており、このスライダに、切断車(１２）と破断ヘッド（１３）と操作アーム（１０）とを備えたアングルレバー(８）が旋回可能に支承されており、底板（１）の、破断ウエブ（１４）の片側に位置する部分が、切断過程時に左手で固定的に保持するための少なくとも手の幅のタイル支持領域（１ａ）を形成している形式のものにおいて、底板（１）のタイル支持領域（１ａ）が側方の横切欠（１８）により前方の支持領域（２０）と後方の支持領域（２０ａ）とに区分されており、切断過程時にタイルを手でつかんで所望の位置で確実に保持するために、前記横切欠（１８）が、切断すべきタイルの縁側をつかむのに充分な幅（Ｂ）を有しており、かつこの横切欠が平面図でみて破断ヘッド（１３）の運動軌道(１９）の近くまで延びており、両支持領域（２０，２０ａ）が破断ウエブ（１４）と共に、小さなタイル条片のためにも確実な三点支持を形成していることを特徴とするタイルカッター。
【請求項２】
横切欠（１８）とタイル当接背部（１６）との間に位置する前方の支持領域（２０）がタイル当接背部（１６）に対してほぼ平行な狭く延びる帯域として形成されており、かつ、後方の支持領域（２０ａ）が前方の支持領域（２０）とほぼ同じ幅だけ破断ウエブ（１４）から突出している請求項１記載のタイルカッター。
【請求項３】
後方の支持領域（２０ａ）が底板（１）の長手方向に対して傾斜している、横切欠（１８）の縁領域（２２）により制限されている請求項２記載のタイルカッター。
【請求項４】
前方の支持領域（２０）が２〜３センチメートルの幅を有している請求項１から３までのいずれか１項記載のタイルカッター。
【請求項５】
横切欠（１８）が底板（１）の長手方向に対してほぼ直角に延びる縁領域（２１）と、底板（１）の長手方向に対して傾斜した縁領域（２２）とにより制限されており、底板（１）に対して傾斜した縁領域（２２）がタイル当接背部（１６）とは逆の側の、底板（１）の長手端部に向かって斜め外向きに延びている請求項１から４までのいずれか１項記載のタイルカッター。
【請求項６】
横切欠（１８）の両縁領域（２１，２２）が湾曲した縁領域（２３）を介して互いに連なっている請求項５記載のタイルカッター。
【請求項７】
横切欠（１８）の縁領域（２１，２２，２３）が底板（１）の上面に向かって面取部（２４）を備えている請求項１から６までのいずれか１項記載のタイルカッター。
【請求項８】
水平な案内（４）と破断ウエブ（１４）とが偏心的に底板(１）の一方の長手側の近くに位置しており、底板（１）が横切欠（１８）とは逆の長手側（２５）で、破断ウエブ（１４）から破断ヘッド（１３）のほぼ半分の幅に等しい幅だけ突出している請求項１から７までのいずれか１項記載のタイルカッター。
【請求項９】
底板（１）が横切欠（１８）を設けた側に位置する両角隅で、ほぼ角４５゜傾斜しており、この場合、傾斜部（２６，２７）が平面図でみて、横切欠（１８）とほぼ同じ近さまで案内（１４）に近寄っている請求項１から８までのいずれか１項記載のタイルカッター。
【請求項１０】
破断ウエブ（１４）を備えたタイル支持領域（１ａ）を有する縦長の底板（１）と、水平な案内（４）上を破断ウエブ（１４）の上方で移動可能なスライダ（７）とを備えたタイルカッターであって、スライダ（７）には、切断車（１２）と破断ヘッド（１３）と操作アーム（１０）とを備えたアングルレバー（８）が旋回可能に支承されている形式のものにおいて、底板（１）が一方の長手側に、縁へ開いた横切欠（１８）を備えており、この横切欠が、切断過程時にタイルを手でつかんで所望の位置で確実に保持するために、切断すべきタイル（１７）の縁側をつかむのに充分な幅（Ｂ）を有しており、かつこの横切欠が平面図でみて破断ヘッド（１３）の運動軌道（１９）のすぐ近くまで延びており、この横切欠（１８）と底板（１）のタイル当接背部（１６）との間に、切断すべきタイルを支持するための狭い支持領域（２０）が設けられており、横切欠（１８）が、底板（１）の長手方向に対してほぼ直角に延びる縁領域（２１）と、底板（１）の、タイル当接背部とは逆の側の長手端部へ向かって底板（１）の長手方向に対して傾斜して延びる縁領域（２２）とにより制限されていることを特徴とするタイルカッター。
【発明の詳細な説明】
【０００１】
【産業上の利用分野】
本発明はタイルカッターであって、縦長の底板が設けられており、この底板が、長手方向の破断ウエブと、これに対して横方向に延びるタイル当接背部とを備えており、水平な案内上で破断ウエブの上方を移動可能なスライダが設けられており、このスライダに、切断車と破断ヘッドと操作アームとを備えたアングルレバーが旋回可能に支承されており、底板の、破断ウエブの片側に位置する部分が少なくとも手の幅のタイル支持領域を形成している形式のものに関する。
【０００２】
【従来の技術】
この種の、例えばＥＰ第００５２６９１Ａ２号特許明細書により公知のタイルカッターはタイル張り業及び家内工業で大量に使用されている。このタイルカッターの優れた点は、通常の大きさのタイル又はセラミック板を切断する限りでは操作性が簡便であることにある。タイルは切断時に一方の手により破断ウエブと底板の一方の側に押し下げられ、かつ底板のタイル当接背部に押し当てられ、他方の手により切断車がタイル上を押されるか引かれてほうろう質に傷を付ける。タイルの位置決めのためのサイドストッパは全く不要である。
【０００３】
しかし、狭幅のタイル又は切断されたタイル条片をもう一度切断しようとする場合に著しい困難が生じる。このようなタイル条片はその狭い端面でタイル当接背部に当接されなければならず、それゆえ、このようなタイル条片は破断ウエブと底板への圧着及びタイル当接背部への圧着によるだけでは十分に手により正しい位置に保持することはできない。切断過程時にはしばしばタイル条片が滑動し又は傾くことがあり、従って所望通りの位置での切断が行われない。
【０００４】
例えばＦＲ−Ａ−２４４４５４７号特許明細書によれば、タイルの位置固定のために調整可能なサイドストッパを使用することが公知であるが、このようなサイドストッパは製作費を高め、ひいてはこの種のタイルカッターの価格を高め、その上、操作を面倒にし時間の無駄を招く。
【０００５】
ＦＲ−Ａ−１１７５３０３号特許明細書によれば、ほぼ十字形の底板を備えたタイルカッターが公知であり、このタイルカッターでは十字体の横脚の１つにタイル当接アングル材が移動可能にかつ回転調節可能に配置されている。この場合タイルは比較的長い方の十字脚に載せられ、この十字脚の上方に切断車のスライダのための案内が延びている。長く比較的狭い十字脚が平らなタイル支持面を形成しており、このタイル支持面は旋回可能な片持アームによりタイル当接アングル材とは逆の側の長手側で拡大可能である。破断ヘッド及び破断ウエブはこの場合は設けられていない。このタイルカッターは、特別なタイル位置決め手段を設けたことにより、製作が不経済であり、操作が面倒であり、その上狭幅のタイル条片の切断に適していない。
【０００６】
【発明が解決しようとする課題】
本発明の課題は、通常の操作に不都合を生じることなく、狭幅のタイルをも正確かつ迅速に切断することができるように、冒頭に述べたタイルカッターを改良することにある。その場合、すべての寸法を維持しつつ、費用の増加を招くことなくタイルカッターが製作されなければならない。
【０００７】
【課題を解決するための手段】
冒頭に述べた形式のタイルカッターから出発して前記課題を解決した本発明の構成によれば、底板のタイル支持領域が側方の横切欠により前方の支持領域と後方の支持領域とに区分されており、前記横切欠が、切断すべきタイルの縁側をつかむのに充分な幅を有しており、かつこの横切欠が平面図でみて破断ヘッドの運動軌道の近くまで延びており、両支持領域が破断ウエブと共に、小さなタイル条片のためにも確実な三点支持を形成していることにある。
【０００８】
【発明の効果】
本発明に基づくタイルカッターは普通の大きさのタイルを慣用の仕方で切断するのに使用可能であるが、そればかりでなく、比較的狭幅のタイルをも切断するのに適するという特別な利点を有している。後者の場合、底板に横切欠を設けたことにより、狭幅のタイルの縁側を、例えば親指とひとさし指との間につかむことができ、かつその際、三点支持で破断ウエブと、横切欠の両側で底板の両方の支持領域とに押し付けることができる。このように確実につかむことにより、狭幅のタイルでも切断過程時に正確に所望の位置に保持される。サイドストッパ又はタイルを位置固定するためのその他の付加的な手段は不要となり、狭幅のタイル又はタイル条片が通常の大きさのタイルと同様に迅速かつ簡便に切断される。
【０００９】
本発明の有利な１実施態様では、横切欠とタイル当接背部との間に位置する前方の支持領域がタイル当接背部に対してほぼ平行な狭く延びる帯域として形成されており、かつ、後方の支持領域が前方の支持領域とほぼ同じ幅だけ破断ウエブから突出している。
【００１０】
本発明のさらに別の実施態様では、後方の支持領域が底板の長手方向に対して傾斜している、横切欠の縁領域により制限されている。これにより、切断すべきタイル若しくはタイル片がその寸法の増大に伴って、より大きな面積の三点支持により支持される。
【００１１】
本発明のさらに別の実施態様では、前方の支持領域の幅が数センチメートル、例えば２ないし３センチメートルである。これにより、タイルカッターは比較的大きな寸法のタイルのためにも一般的に使用可能である。
【００１２】
本発明のさらに別の実施態様では、横切欠が底板の長手方向に対してほぼ直角に延びる縁領域と、底板の、タイル当接背部とは逆の側の長手端部へ向かって斜め外向きに底板の長手方向に対して傾斜して延びる縁領域とにより制限されている。この場合、横切欠の両縁領域は湾曲した縁領域を介して互いに連なっていてもよい。この手段により、すべての幅の切断すべきタイルについて、最良に縁側をつかむことができる。
【００１３】
本発明のさらに別の特徴がその他の請求項に記載されておりかつ図面を援用して詳しく説明される。
【００１４】
【実施例】
次に図示の実施例につき本発明を詳しく説明する。
【００１５】
タイルカッターは縦長の底板１を備えており、その端面に案内４のための２つの支承ブラケット２，３が取り付けられている。案内４は２つの案内レール５，６から成り、この案内レールに１つのスライダ７が移動可能に支承されている。スライダ７にはアングルレバー８が水平な軸線９を中心として旋回可能に支承されており、このアングルレバー８は操作アーム１０と作業アーム１１とから成つている。作業アーム１１はその下向きの端部に切断車１２を備えており、かつさらに旋回可能に支承された破断ヘッド１３を支持している。
【００１６】
底板１は突起した破断ウエブ１４を備えており、この破断ウエブは切断車１２の運動軌道の下方に位置している。破断ウエブ１４は底板１に取り付けられた条片１５によって両側からつかまれている。この条片は軟弾性的な材料から成っている。底板１は図の左側に、横方向に延びるタイル当接背部１６を備えており、このタイル当接背部には切断すべきタイルが当接される（図４も参照）。水平な案内４及び破断ウエブ１４は偏心的に底板１の一方の長手側２５の近くに配置されており、破断ウエブとは逆の側に位置する、底板１の部分は少なくとも手の幅の大きさのタイル支持領域１ａを形成している。タイル１７は一方では破断ウエブ１４上に、かつ他方では底板１のこの部分、即ちタイル支持領域１ａに載せられ、切断過程時には左手で固定的に保持される。切断過程時に切断車が右手でタイル当接背部１６へ向けて押され、これによりタイルが切断車により切り込まれる。次いで破断ヘッド１３が、切り込まれたタイルの、タイル当接背部１６に当接された領域へ押し付けられる。以上説明した限りのことが、一般のタイルカッターでも行われる。
【００１７】
比較的狭幅のタイル１７をも迅速かつ正確に切断することができるように、本発明では底板１が片方の長手側に、要するに図１でみて左側の長手側に、縁へ開いた横切欠１８が設けられており、この横切欠は、切断すべきタイル１７の縁をつかむのに充分な幅Ｂを有しており、かつ、平面図でみて破断ヘッド１３の運動軌道１９（図１参照）の近くまで、例えば１ないし２センチメートル離れたところまで延びている。これにより、タイル１７は横切欠１８の上方に位置する領域で手の親指とひとさし指との間につかまれ、切断過程時に確実に所望の位置で保持される。
【００１８】
この横切欠１８により、底板１のタイル支持領域１ａは、タイル当接背部１６に接した前方の支持領域２０と、後方の支持領域２０ａとに区分されている。前方の支持領域２０はタイル当接背部１６に対してほぼ平行に延びるほぼ２ないし３センチメートル幅の狭幅の帯域として形成されている。両支持領域２０，２０ａは破断ウエブから同じ幅で突出している。
【００１９】
横切欠１８は底板１の長手方向に対してほぼ直角に延びる縁領域２１と、底板１の長手方向に対してほぼ角２０°傾斜した縁領域２２とにより制限されており、この場合、縁領域２２はタイル当接背部１６とは逆の側の、底板１の長手端部へ向かって斜め外向きに延びている。横切欠１８の両縁領域２１，２２は、湾曲した縁領域２３を介して互いに連なっている。横切欠１８の縁領域２１，２２，２３は底板１の上面へ向かって面取部２４を備えている。
【００２０】
底板１は横切欠１８を設けた側とは逆の長手側２５では破断ヘッド１３の幅の半分にほぼ相応する幅だけ破断ウエブ１４から突出している。底板１は横切欠１８を設けた側の両端の角隅ではほぼ４５°の角度だけ傾斜しており、その場合、傾斜部２６，２７は平面図でみて横切欠１８とほぼ同じ程度に案内４に近付いている。
【００２１】
一枚のタイルの切断時、要するに大部分の作業での使用時の本タイルカッターの操作は、横切欠１８により妨げられない。それというのは、タイルが三点支持で破断ウエブ１４と両支持領域２０，２０ａとにより、傾くことなく位置決めされて保持されることができるからであり、これにより、付加的なサイドストッパ又はその他の特別な位置決め手段が不要である。中程度のタイル又はタイル片は、次第に幅広くなる支持領域２０ａにより、次第に大面積となる三点支持によって支持される。
【図面の簡単な説明】
【図１】本発明に基づくタイルカッターの斜視図である。
【図２】図１の矢印ＩＩの方向からタイルカッターをみた側面図である。
【図３】タイルカッターの背面の側面図である。
【図４】タイルカッターの平面図である。
【図５】タイルカッターの図１の右側の端面図である。
【図６】タイルカッターの図１の左側の端面図である。
【符号の説明】
１  底板、  １ａ  タイル支持領域、  ２，３  支承ブラケット、  ４  案内、  ５  案内レール、  ７  スライダ、  ８  アングルレバー、  ９  軸線、  １０  操作アーム、  １１  作業アーム、  １２  切断車、  １３  破断ヘッド、  １４  破断ウエブ、  １５  条片、  １６  タイル当接背部、  １７  タイル、  １８  横切欠、  １９  運動軌道、  ２０  前方の支持領域、  ２０ａ  後方の支持領域、  ２１，２２，２３  縁領域、  ２４  面取部、  ２５  長手側、  ２６，２７  傾斜部、  Ｂ  幅
【図１】
0003548602.tif 000002
【図２】
0003548602.tif 000003
【図３】
0003548602.tif 000004
【図４】
0003548602.tif 000005
【図５】
0003548602.tif 000006
【図６】
0003548602.tif 000007